(57)【特許請求の範囲】
【請求項１】
着用者の股部を含む領域に装着される吸収性物品であって、
吸液性を有する素材を備える吸収コアと、
不透液性を有し、前記吸収コアの外面側に配置された外側シート部材と、
前記吸収コアの肌面側に配置された内側シート部材と、
を備え、
前記内側シート部材は、
前記吸収コアの肌面側に配置された内側シート部材本体と、
前記内側シート部材本体の肌面側において横方向に間隔をあけて縦方向に沿って設けられ、前記内側シート部材本体から離反する方向に起立可能な左右の起立シート部と、
前記左右の起立シート部の先端部に伸張された状態でそれぞれ付与された弾性部材と、を備え、
前記内側シート部材本体における前記左右の起立シート部の間に位置するトップ部分は、前記縦方向に延びる３枚以上のシート材によって構成され、前記３枚以上のシート材のうちの少なくとも１枚のシート材は透液性を有し、
前記３枚以上のシート材の互いに隣り合うシート材の各組み合わせにおいて、前記横方向の外方側に位置するシート材の前記横方向の内方側に縁部が、前記横方向の内方側に位置するシート材に肌面側から重ね合わされており、
前記内側シート部材本体の前記トップ部分を構成する前記３枚以上のシート材は、前記横方向の内方側に位置するシート材ほど液体をより透過しにくくなっており、
前記内側シート部材本体の前記トップ部分を構成する前記３枚以上のシート材は、すべて親水性不織布であり、前記横方向の内方側に位置するシート材ほど親水性の度合いがより低い親水性不織布であることを特徴とする吸収性物品。
【請求項２】
着用者の股部を含む領域に装着される吸収性物品であって、
吸液性を有する素材を備える吸収コアと、
不透液性を有し、前記吸収コアの外面側に配置された外側シート部材と、
前記吸収コアの肌面側に配置された内側シート部材と、
を備え、
前記内側シート部材は、
前記吸収コアの肌面側に配置された内側シート部材本体と、
前記内側シート部材本体の肌面側において横方向に間隔をあけて縦方向に沿って設けられ、前記内側シート部材本体から離反する方向に起立可能な左右の起立シート部と、
前記左右の起立シート部の先端部に伸張された状態でそれぞれ付与された弾性部材と、を備え、
前記内側シート部材本体における前記左右の起立シート部の間に位置するトップ部分は、前記縦方向に延びる３枚以上のシート材によって構成され、前記３枚以上のシート材のうちの少なくとも１枚のシート材は透液性を有し、
前記３枚以上のシート材の互いに隣り合うシート材の各組み合わせにおいて、前記横方向の外方側に位置するシート材の前記横方向の内方側に縁部が、前記横方向の内方側に位置するシート材に肌面側から重ね合わされており、
前記内側シート部材本体の前記トップ部分を構成する前記３枚以上のシート材は、前記横方向の内方側に位置するシート材ほど液体をより透過しにくくなっており、
前記内側シート部材本体の前記トップ部分を構成する前記３枚以上のシート材のうちの前記横方向の中央に位置するシート材は、撥水性不織布であることを特徴とする吸収性物品。
【発明の詳細な説明】
【技術分野】
【０００１】
本発明は、着用者の股部を含む領域に装着される吸収性物品に関する。
【背景技術】
【０００２】
従来の吸収性物品として特許文献１に記載のものがある。この従来の吸収性物品では、吸収コアの肌面側に配置された内側シート部材の横方向の中央部がメッシュ領域（１０１Ｍ）とされている。これによって、内側シートの横方向の中央部が他の部分よりも尿等の液体をより透過しやすくなっている。このため、この吸収性物品が装着された状態で排尿が行われた場合、尿が内側シート部材のメッシュ領域を直ちに透過して吸収コアに到達する。その結果、吸収コアによる尿の吸収が着用者の排尿口の近傍に位置する排尿口近傍領域に集中的に偏って進みやすい。このように吸収コアによる尿の吸収が排尿口近傍領域に偏りすぎると、排尿口近傍領域以外の領域では尿の吸収量が吸収容量に対してまだ余裕があるのに、排尿口近傍領域の尿の吸収量が吸収容量の限界に達してしまうことがある。この状態でさらに排尿が行われた場合、吸収コアの排尿口近傍領域での尿の吸収が行われないため、吸収コアによる単位時間当たりの尿の吸収量が着用者による単位時間当たりの排尿量に追い付かず、尿が吸収性物品の外部に漏れ出すことがある。このため、吸収コアの排尿口近傍領域以外の領域では尿の吸収量が吸収容量に対して十分に余裕があるのにかかわらず、排尿口近傍領域の尿の吸収量が吸収容量の限界付近に達した時点で、吸収性物品を交換する必要が生じることがある。この場合、吸収コアに含まれる多くのパルプ及び吸収ポリマー等の吸収材が未使用の廃棄されることとなり、効率が悪い。吸収性物品に用いられる吸収コアは横方向よりも縦方向（前後方向）に長いため、吸収コアの縦方向の前側及び後側の縁部について吸収材の使用効率が悪い傾向が強い。
【先行技術文献】
【特許文献】
【０００３】
【特許文献１】特開２００７−９００５６号公報
【発明の概要】
【発明が解決しようとする課題】
【０００４】
そこで、本発明の解決すべき課題は、吸収コア全体の使用効率を改善できる吸収性物品を提供することである。
【課題を解決するための手段】
【０００５】
上記の課題を解決するため、請求項１の発明では、着用者の股部を含む領域に装着される吸収性物品であって、吸液性を有する素材を備える吸収コアと、不透液性を有し、前記吸収コアの外面側に配置された外側シート部材と、前記吸収コアの肌面側に配置された内側シート部材とを備え、前記内側シート部材は、前記吸収コアの肌面側に配置された内側シート部材本体と、前記内側シート部材本体の肌面側において横方向に間隔をあけて縦方向に沿って設けられ、前記内側シート部材本体から離反する方向に起立可能な左右の起立シート部と、前記左右の起立シート部の先端部に伸張された状態でそれぞれ付与された弾性部材とを備え、前記内側シート部材本体における前記左右の起立シート部の間に位置するトップ部分は、前記縦方向に延びる３枚以上のシート材によって構成され、前記３枚以上のシート材のうちの少なくとも１枚のシート材は透液性を有し、前記３枚以上のシート材の互いに隣り合うシート材の各組み合わせにおいて、前記横方向の外方側に位置するシート材の前記横方向の内方側に縁部が、前記横方向の内方側に位置するシート材に肌面側から重ね合わされており、前記内側シート部材本体の前記トップ部分を構成する前記３枚以上のシート材は、前記横方向の内方側に位置するシート材ほど液体をより透過しにくくなっており、前記内側シート部材本体の前記トップ部分を構成する前記３枚以上のシート材は、すべて親水性不織布であり、前記横方向の内方側に位置するシート材ほど親水性の度合いがより低い親水性不織布である。
また、請求項２の発明では、着用者の股部を含む領域に装着される吸収性物品であって、吸液性を有する素材を備える吸収コアと、不透液性を有し、前記吸収コアの外面側に配置された外側シート部材と、前記吸収コアの肌面側に配置された内側シート部材とを備え、前記内側シート部材は、前記吸収コアの肌面側に配置された内側シート部材本体と、前記内側シート部材本体の肌面側において横方向に間隔をあけて縦方向に沿って設けられ、前記内側シート部材本体から離反する方向に起立可能な左右の起立シート部と、前記左右の起立シート部の先端部に伸張された状態でそれぞれ付与された弾性部材とを備え、前記内側シート部材本体における前記左右の起立シート部の間に位置するトップ部分は、前記縦方向に延びる３枚以上のシート材によって構成され、前記３枚以上のシート材のうちの少なくとも１枚のシート材は透液性を有し、前記３枚以上のシート材の互いに隣り合うシート材の各組み合わせにおいて、前記横方向の外方側に位置するシート材の前記横方向の内方側に縁部が、前記横方向の内方側に位置するシート材に肌面側から重ね合わされており、前記内側シート部材本体の前記トップ部分を構成する前記３枚以上のシート材は、前記横方向の内方側に位置するシート材ほど液体をより透過しにくくなっており、前記内側シート部材本体の前記トップ部分を構成する前記３枚以上のシート材のうちの前記横方向の中央に位置するシート材は、撥水性不織布である。
【発明の効果】
【００１０】
請求項１及び請求項２に記載の発明によれば、内側シート部材本体における左右の起立シート部の間に位置するトップ部分が、縦方向に延びる３枚以上のシート材によって構成されている。その３枚以上のシート材のうちの少なくとも１枚のシート材は透液性を有している。しかも、３枚以上のシート材の互いに隣り合うシート材の各組み合わせにおいて、横方向の外方側に位置するシート材の横方向の内方側に縁部が、横方向の内方側に位置するシート材に肌面側から重ね合わされている。それ故、内側シート部材本体のトップ部分の肌面側表面には、そのトップ部分を構成する３枚以上のシート材の横方向の外方側に配置されたシート材の横方向の内方側の縁部によって略縦方向に延びる段差が２つ以上形成されることなる。このため、本発明に係る吸収性物品が装着された状態で排尿が行われた場合、排尿された尿が内側シート部材本体のトップ部分の肌面側表面に沿って広がりながら進むときに、トップ部分の肌面側表面に位置するシート材の縁部によっての流れが影響され、尿が横方向よりも縦方向に広がりやすくなり、尿の縦方向への広がりが増進される。すなわち、尿が内側シート部材本体のトップ部分の肌面側表面で排尿口近傍から縦方向に効果的に拡散されながら、トップ部分を構成するいずれかの透液性のシート材を透過して吸収コアに到達する。このため、吸収コアの縦方向の幅広い範囲で尿の吸収が進むようになる。これによって、尿の吸収が吸収コアの排尿口近傍領域で過度に片寄って進むのを抑制し、吸収コアの全体について使用効率（特に、吸収コアの縦方向の前後の縁部の使用効率）を改善できる。
【００１１】
また、内側シート部材本体のトップ部分を構成する３枚以上のシート材は、横方向の内方側に位置するシート材ほど液体をより透過しにくくなっている。このため、着用者の排尿口から尿が排泄されたときに、内側シート部材本体のトップ部分における排尿口に近い横方向の内方側の領域を透過して吸収コアに到達する尿の割合を抑制し、トップ部分における排尿口から遠い横方向の外方側の領域を透過して吸収コアに到達する尿の割合を増大させることができ、これによって、吸収コアの横方向の広い範囲で尿の吸収が進むこととなる。その結果、尿の吸収が吸収コアの排尿口近傍領域で過度に片寄って進むのを抑制し、吸収コアの全体について使用効率（特に、吸収コアの横方向の両側の縁部の使用効率）を改善できる。
【００１２】
また、内側シート部材本体のトップ部分の横方向の両側の縁部に最も液体を透過しやすいシート材が配置されるため、トップ部分の肌面側表面に沿ってトップ部分の横方向の両側の縁部まで到達した尿については、トップ部分を吸収コア側に迅速に透過させることができる。その結果、排泄された尿がトップ部分の横方向の両側の縁部に溜まり、その溜まった尿が起立シート部を乗り越える等して吸収性物品の外部に漏れるのを防止できる。
【００１３】
請求項１に記載の発明によれば、内側シート部材本体のトップ部分を構成するシート材に肌触りの良好な不織布を用いながら、トップ部分を構成する各シート材の液体を透過性を容易に調節できる。その結果、内側シート部材本体のトップ部分の肌触りを損ねることなく、吸収コアによる尿の吸収の進行度合いの偏りを改善できる。
【００１４】
請求項２に記載の発明によれば、内側シート部材本体のトップ部分を構成する３枚以上のシート材のうちの横方向の中央に位置するシート材が撥水性不織布であるため、着用者の排尿口から尿が排泄されたときに、内側シート部材本体のトップ部分における排尿口に近い横方向の内方側の領域を透過して吸収コアに到達する尿の割合をより効果的に抑制し、トップ部分における排尿口から遠い横方向の外方側の領域を透過して吸収コアに到達する尿の割合を増大させることができる。また、内側シート部材本体のトップ部分の横方向の中央部に不織布からなるシート材が用いられるため、内側シート部材本体のトップ部分の肌触りを損ねることなく、吸収コアの全体の使用効率を改善できる。
【図面の簡単な説明】
【００１６】
【図１】本発明の一実施形態に係る吸収性物品としての使い捨ておむつの平面図である。
【図２】図１の使い捨ておむつのＡ−Ａ線に沿った断面の構成を模式的に示す図である。
【図３】図１の使い捨ておむつの第１の変形例に係る使い捨ておむつの要部の構成を示す断面図である。
【図４】図３の使い捨ておむつに用いられるメッシュ状のシート材の断面構造を示す図である。
【図５】図１の使い捨ておむつの第２の変形例に係る使い捨ておむつの要部の構成を示す断面図である。
【図６】図１の使い捨ておむつの第３の変形例に係る使い捨ておむつの要部の構成を示す断面図である。
【図７】図３の使い捨ておむつに一例として用いられるメッシュ状のシート材の断面構造を示す図である。
【発明を実施するための形態】
【００１７】
図１は本発明の一実施形態に係る使い捨て吸収性物品としての使い捨ておむつ（以下、単に「おむつ」という）の平面図であり、図２は図１のおむつのＡ−Ａ線に沿った断面の構成を模式的に示す図である。なお、図１及び図２において、横方向Ｘは着用者の左右方向に対応しており、縦方向Ｙは着用者の前後又は上下方向に対応している。また、図１に示すおむつ１の構成において、図１の図面上における上側がおむつ１の後側に対応している。
【００１８】
本実施形態に係るおむつ１は、テープ型又はパンツ型のおむつ等の股部の内側に敷き込まれて用いられるものである（尿パッドと呼ばれる場合がある）。このおむつ１をテープ型又はパンツ型のおむつ等の股部に敷き込むことにより、おむつの吸液容量が補強され、多量の尿が排尿された場合又は多量の水分を含んだ軟便が排便された場合に対応できるようになる。なお、本実施形態では本発明を尿パッドに適用した場合について説明したが、本発明をテープ型又はパンツ型のおむつに適用してもよい。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００１９】
このおむつ１は、図１及び図２に示すように、吸収コア１１、外側シート部材１２及び内側シート部材１３を備えている。内側シート部材１３は、内側シート部材本体２１、左右の起立シート部２２、及び左右の弾性部材２３を備えている。
【００２０】
吸収コア１１は、着用者が排泄した排泄液（例えば、尿又は便に含まれる水分等）を吸収する。より具体的には、吸収コア１１は、集合された繊維を少なくとも備えて構成された繊維集合体１１１と、繊維集合体１１１を包装する包装シート（例えば、ティッシュペーパー）１１２とを備えている。好ましくは、繊維集合体１１１には、繊維集合体１１１に混入又は散布された図示しない吸収性樹脂粉末が含まれる。なお、変形例として、包装シート１１２を省略してもよい。また、本実施形態では、吸収コア１１の繊維集合体１１１の厚み方向から見た外形形状が略砂時計形になっているが、繊維集合体１１１の形状として略矩形、略楕円形等の他の形状が採用されてもよい。
【００２１】
外側シート部材１２は、不透液性を有し、吸収コア１１の外面側に配置されている。外側シート部材１２は、より具体的には例えば、不織布シート１２１と、不織布シート１２１の肌面側に貼り合わされた不透液性の樹脂フィルム１２２とを備えている。不織布シート１２１には、例えば撥水性を有する合成繊維製不織布等が用いられる。樹脂フィルム１２２には、例えばポリエチレン等の合成樹脂製フィルム（不透液性でかつ通気性を有するフィルムが好ましい）等が用いられる。
【００２２】
内側シート部材１３の内側シート部材本体２１は、吸収コア１１の肌面側に配置されている。左右の起立シート部２２は、内側シート部材本体２１の肌面側において横方向Ｘに間隔をあけて縦方向Ｙに沿って設けられ、内側シート部材本体２１から離反する方向（肌面側）に起立可能となっている。左右の弾性部材２３は、左右の起立シート部２２の先端部に縦方向Ｙに伸張された状態でそれぞれ付与されており、その収縮力によって起立シート部２２を着用者の肌面に向けて起立させる。この弾性部材２３及び起立シート部２２によって立体ギャザーが構成されており、この立体ギャザーにより排泄された尿及び便の横漏れが防止される。
【００２３】
このような内側シート部材１３の内側シート部材本体２１及び起立シート部２２は、例えばトップシート２６及び左右のサイドシート２７によって構成されている。トップシート２６は、内側シート部材本体２１のトップ部分２１ａを含む領域に配置されている（すなわち、トップシート２６の横方向Ｘの幅はトップ部分２１ａの横方向Ｘの幅よりも大きい）。トップ部分２１ａとは、内側シート部材本体２１における左右の起立シート部２２が内側シート部材本体２１から肌面側に立ち上がる基端部２２ａの間に位置し、縦方向Ｙに延びる部分である。このトップシート２６の構成について後にさらに詳述する。
【００２４】
左右のサイドシート２７は、不透液性を有し、トップシート２６の横方向Ｘの両側の部分（例えば、横方向Ｘの両側の縁部）に肌面側から重なるように、縦方向Ｙに沿って配置され、トップシート２６の横方向Ｘの両側の部分（例えば、横方向Ｘの両側の縁部）と接着剤（例えば、ホットメルト接着剤）等の接合手段によって接合されている。サイドシート２７の材料としては、例えば撥水性不織布等が用いられる。サイドシート２７の横方向Ｘの内方側の部分は、トップシート２６から離反する方向（肌面側）に起立可能な構成となっており、起立シート部２２を構成している。なお、本実施形態では、起立シート部２２をサイドシート２７の横方向Ｘの内方側の部分によって構成したが、この構成に限らず、種々の構成が採用可能である。
【００２５】
次に、トップシート２６のより詳細な構成について説明する。トップシート２６は、縦方向Ｙに延びる３枚以上であって奇数枚（図１及び図３に示す構成では３枚）のシート材３１，３２Ａ，３３Ｂによって構成されている。トップシート２６を構成する３枚以上のシート材３１，３２Ａ，３２Ｂのうちの少なくとも１枚のシート材３１，３２Ａ，３２Ｂは透液性を有している。なお、トップシート２６を構成する３枚以上のシート材３１，３２Ａ，３２Ｂの枚数は、奇数枚であることが好ましいが、奇数枚に限らず、３枚以上なら何枚でもよい。
【００２６】
また、３枚以上のシート材３１，３２Ａ，３２Ｂの互いに隣り合うシート材３１，３２Ａ，３２Ｂの各組み合わせにおいて、横方向Ｘの外方側に位置するシート材３１，３２Ａ，３２Ｂの横方向Ｘの内方側に縁部が、横方向Ｘの内方側に位置するシート材に肌面側から重ね合わされている。具体的には、図１及び図２に示す構成では、中央のシート材３１の横方向Ｘの両側の縁部３１ａに、そのシート材３１の横方向Ｘの両側に位置するシート材３２Ａ，３２Ａの横方向Ｘの内側の縁部３２Ａａ，３２Ｂａが肌面側から重ね合わされ、接着剤（例えば、ホットメルト接着剤）等の接合手段により接合されている。これによって、トップ部分２１ａを構成するトップシート２６の肌面側表面には、トップシート２６を構成する３枚以上のシート材３１，３２Ａ，３２Ｂの横方向Ｘの外方側に配置されたシート材３２Ａ，３２Ｂの横方向Ｘの内方側の縁部３２Ａａ，３２Ｂａによって略縦方向Ｙに延びる段差が２つ以上形成されることなる。
【００２７】
このため、本実施形態に係るおむつ１が装着された状態で着用者による排尿が行われた場合、排尿された尿が内側シート部材本体２１のトップ部分２１ａの肌面側表面に沿って広がりながら進むときに、トップ部分２１ａの肌面側表面に位置するシート材３２Ａ，３２Ｂの縁部３２Ａａ，３２Ｂａによって尿の流れが影響され、尿が横方向Ｘよりも縦方向Ｙに広がりやすくなり、尿の縦方向Ｙへの広がりが増進される。すなわち、尿がトップ部分２１ａの肌面側表面で排尿口近傍から縦方向Ｙに効果的に拡散されながら、トップ部分を構成するいずれかの透液性のシート材を透過して吸収コアに到達する。このため、吸収コア１１の縦方向Ｙの幅広い範囲で尿の吸収が進むようになる。これによって、尿の吸収が吸収コア１１の排尿口近傍領域で過度に片寄って進むのを抑制し、吸収コア１１の全体について使用効率（特に、吸収コア１１の縦方向Ｙの前後の縁部の使用効率）を改善できる。
【００２８】
また本実施形態では、トップシート２６を構成する３枚以上であって奇数枚のシート材３１，３２Ａ，３２Ｂは、横方向Ｘの内方側に位置するシート材３１，３２Ａ，３２Ｂほど液体をより透過しにくい素材によって形成されている。すなわち、横方向Ｘの中央に配置されたシート材３１の方が、シート材３１の横方向Ｘの外側に配置されたシート材３２Ａ，３２Ｂよりも液体を透過しにくい素材によって形成されている。
【００２９】
このため、着用者の排尿口から尿が排泄されたときに、内側シート部材本体２１のトップ部分２１ａにおける排尿口に近い横方向Ｘの内方側の領域（例えば、シート材３１）を透過して吸収コア１１に到達する尿の割合を抑制し、トップ部分２１ａにおける排尿口から遠い横方向Ｘの外方側の領域（例えば、シート材３２Ａ，３２Ｂ）を透過して吸収コア１１に到達する尿の割合を増大させることができ、これによって吸収コア１１の横方向Ｘの広い範囲で尿の吸収が進むこととなる。その結果、この構成によっても、尿の吸収が吸収コア１１の排尿口近傍領域で過度に片寄って進むのを抑制し、吸収コア１１の全体について使用効率（特に、吸収コア１１の横方向Ｘの両側の縁部の使用効率）を改善できるという効果が得られる。
【００３０】
また、トップ部分２１ａの横方向Ｘの両側の縁部に最も液体を透過しやすいシート材３２Ａ，３２Ｂが配置されるため、トップ部分２１ａの肌面側表面に沿ってトップ部分２１ａの横方向Ｘの両側の縁部まで到達した尿については、トップ部分２１ａを吸収コア１１側に迅速に透過させることができる。その結果、排泄された尿がトップ部分２１ａの横方向Ｘの両側の縁部に溜まり、その溜まった尿が起立シート部２２を乗り越える等しておむつ１の外部に漏れるのを防止できる。
【００３１】
より具体的には、本実施形態ではトップシート２６を構成する３枚以上のシート材３１，３２Ａ，３２Ｂは、すべて親水性不織布であり、横方向Ｘの内方側に位置するシート材３１，３２Ａ，３２Ｂほど親水性の度合いがより低い不織布となっている。すなわち、横方向Ｘの中央に配置されたシート材３１の方が、シート材３１の横方向Ｘの外側に配置されたシート材３２Ａ，３２Ｂよりも親水性の度合いが低い不織布によって形成されている。
【００３２】
このため、トップ部分２１ａを構成するシート材３１，３２Ａ，３２Ｂに肌触りの良好な不織布を用いながら、トップ部分２１ａを構成する各シート材３１，３２Ａ，３２Ｂの液体を透過性を容易に調節できる。その結果、トップ部分２１ａの肌触りを損ねることなく、吸収コア１１による尿の吸収の進行度合いの偏りを改善できる。
【００３３】
内側シート部材本体２１のトップ部分２１ａを構成するトップシート２６については、上述の図１及び図２に示す構成に限らず種々の構成が採用可能である。以下では、図３ないし図７を参照して、内側シート部材本体２１のトップ部分２１ａの変形例について説明する。
【００３４】
図３に示す第１の変形例では、内側シート部材本体２１のトップ部分２１ａを構成する３枚以上であって奇数枚のシート材３１，３２Ａ，３２Ｂの横方向Ｘの両側における最も外側に位置するシート材３２Ａ，３２Ｂが、図４に示すように、複数の透孔４１ａが比較的高密度で設けられた樹脂製のメッシュ状のシート材４１（メッシュシートと呼ばれることがある）で形成されている。この図３の構成では、トップ部分２１ａを構成するシート材３２Ａ，３２Ｂ以外のシート材３１は、親水性不織布で形成されているが、撥水性不織布を用いてもよい。ここで、メッシュ状のシート材４１に設けられた透孔４１ａは不織布の繊維の隙間よりも遙かに大きいため、横方向Ｘの両側のシート材３２Ａ，３２Ｂの方が、中央のシート材３１よりも液体を透過しやすくなっている。なお、メッシュ状のシート材４１は、着用者の肌に触れたときに肌にはりつくような感触を与える傾向がある等の好ましくない特性をあるため、図３に示すように、トップ部分２１ａにおける着用者の肌と接触しにくい部分（例えば、起立シート部２２の基端部２２ａの近傍部分）に配置するのが好ましい。
【００３５】
このため、トップ部分２１ａの肌面側表面に沿ってトップ部分２１ａの横方向Ｘの両側の縁部まで到達した尿については、トップ部分２１ａの横方向Ｘの両側の縁部に不織布を用いた構成に比して、より迅速にトップ部分２１ａを透過させて吸収コア１１側に導くことができる。排泄された尿がトップ部分２１ａの横方向Ｘの両側の縁部に溜まり、その溜まった尿が起立シート部２２を乗り越える等しておむつ１の外部に漏れるのをより確実に防止できる。
【００３６】
図５に示す第２の変形例では、内側シート部材本体２１のトップ部分２１ａが５枚のシート材３１，３２Ａ，３２Ｂ，３３Ａ，３３Ｂによって構成されている。各シート材３１，３２Ａ，３２Ｂ，３３Ａ，３３Ｂの具体的な構成例としては、例えば以下の３つの例が挙げられる。第１の例では、横方向Ｘの中央のシート材３１に親水性の度合いが低レベルの親水性不織布が用いられ、そのシート材３１の横方向Ｘの外側の左右のシート材３２Ａ，３２Ｂに親水性の度合いが中レベルの親水性不織布が用いられ、そのシート材３２Ａ，３２Ｂの横方向Ｘのさらに外側の左右のシート材３３Ａ，３３Ｂに親水性の度合いが高レベルの親水性不織布が用いられる。第２の例では、シート材３１に撥水性不織布が用いられ、シート材３１Ａ，３１Ｂに親水性不織布が用いられ、シート材３３Ａ，３３Ｂにシート材３１Ａ，３１Ｂよりも親水性の度合いが高い親水性不織布が用いられる。第３の例では、シート材３１に撥水性不織布が用いられ、シート材３１Ａ，３１Ｂに親水性不織布が用いられ、シート材３３Ａ，３３Ｂにシート材３１Ａ，３１Ｂよりも親水性の度合いが高い親水性不織布が用いられる。
【００３７】
上記の第２及び第３の例のように、トップ部分２１ａの横方向Ｘの中央に位置するシート材３１に撥水性不織布を用いることにより、着用者の排尿口から尿が排泄されたときに、トップ部分２１ａにおける排尿口に近い横方向の内方側の領域（例えば、シート材３１）を透過して吸収コア１１に到達する尿の割合をより効果的に抑制し、トップ部分２１ａにおける排尿口から遠い横方向の外方側の領域（例えば、シート材３２Ａ，３２Ｂ，３３Ａ，３３Ｂ）を透過して吸収コア１１に到達する尿の割合を増大させることができる。また、トップ部分２１ａの横方向Ｘの中央部に不織布からなるシート材３１が用いられるため、トップ部分２１ａの肌触りを損ねることなく、吸収コア１１による尿の吸収の進行度合いの偏りを改善できる。
【００３８】
図６に示す第３の変形例では、上述の図１及び図２に示す内側シート部材本体２１のトップ部分２１ａの外面側における横方向Ｘの両側に、シート材４２が追加されている。このシート材４２は、上述のシート材４１とほぼ同様なメッシュ状のシート材によって形成されており、トップ部分２１ａの外面側（吸収コア１１側）における横方向Ｘの両側の縁部に縦方向Ｙに沿って配置されている。このようにシート材４２を配置することにより、トップ部分２１ａにおけるシート材４２が配置された横方向Ｘの両側の縁部の透液性（液透過速度）をより高めることができる。これによって、排泄された尿がトップ部分２１ａの横方向Ｘの両側の縁部に溜まり、その溜まった尿が起立シート部２２を乗り越える等しておむつ１の外部に漏れるのをより確実に防止できる。ここで、吸収コア１１とトップシート２６との間における尿の通過速度は、尿が吸収コア１１に到達したときの吸収コア１の表面における尿によって濡れる部分の広がる速度の影響を受けている。このため、吸収コア１１とトップシート２６との間にメッシュ状のシート４２のような嵩のある透液性の部材を介在させることにより、その部材の漏斗作用により、トップシート２６を透過した尿が吸収コア１１の方向に勢いを付けられて吸収コア１１の表面に到達することとなる。このため、吸収コア１１の表面に到達した尿のうち、吸収コア１１に吸収されるのを待ちきれない尿が吸収コアの表面に拡散してゆき、次々と新しい表面を濡らしていくこととなり、これによって、メッシュ状のシート材４２が配置されたトップ部分２１ａの部分の液透過速度が向上される。
【００３９】
図６のメッシュ状のシート材４２の他の例としては、図７に示すように、シート材４２の厚みを増大させて、シート材４２が配置されたトップ部分２１ａの液透過速度をさらに高めてもよい。さらに、図７に示すように、シート材４２に設ける透孔４２を、尿が透過する方向Ｂに向けて内径が縮小するようような略テーパ状の透孔としてもよい。このような透孔４２の構成により、シート材４２が配置されたトップ部分２１ａの液透過速度がさらに高められるとともに、圧力が印加されたとき尿がシート材４２を透過して吸収コア１１側から肌面側に逆戻りしにくくできる。
【符号の説明】
【００４０】
１  おむつ、１１  吸収コア、１１１  繊維集合体、１１２  包装シート、１２  外側シート部材、１２１  不織布シート、１２２  樹脂フィルム、２１  内側シート部材本体、２１ａ  トップ部分、２２  起立シート部、２２ａ  基端部、２３  弾性部材、２６  トップシート、２７  サイドシート、３１，３２Ａ，３２Ｂ，３３Ａ，３３Ｂ  シート材、４１  シート材、４１ａ  透孔、４２  シート材、４２ａ  透孔、Ｘ  横方向、Ｙ  縦方向。
【図１】
0005410852.tif 000002
【図２】
0005410852.tif 000003
【図３】
0005410852.tif 000004
【図４】
0005410852.tif 000005
【図５】
0005410852.tif 000006
【図６】
0005410852.tif 000007
【図７】
0005410852.tif 000008